(57)【要約】【課題】粘着剤の種類、構成および厚みに依存することなく、糊はみだしが生じた場合であっても包装袋からの取り出し性を確保し、かつ適度な支持性を有することで貼付操作性が良好な、貼付剤の提供。【解決手段】片面に粘着剤層が形成された支持体と、前記粘着剤層全面を被覆し、前記粘着剤層の全ての縁部より外に延びる延出部を有する剥離ライナーと、前記支持体上に積層され、前記支持体の全ての縁部より外に延びる延出部を有する剥離可能なバッキングフィルムと、を有する貼付剤。【選択図】図２
0003158519.tif 000002
【実用新案登録請求の範囲】
【請求項１】
片面に粘着剤層が形成された支持体と、
前記粘着剤層全面を被覆し、前記粘着剤層の全ての縁部より外に延びる延出部を有する剥離ライナーと、
前記支持体上に積層され、前記支持体の全ての縁部より外に延びる延出部を有する剥離可能なバッキングフィルムと、
を有する貼付剤。
【請求項２】
前記剥離ライナーに、前記粘着剤層から前記剥離ライナーを剥離するためのスリットが設けられていることを特徴とする、請求項１記載の貼付剤。
【請求項３】
前記バッキングフィルムの延出部が支持体縁部より２ｍｍ以上長く、かつ剥離ライナー延出部以下の長さであることを特徴とする、請求項１または２に記載の貼付剤。
【請求項４】
粘着剤層にさらに薬物を含有することを特徴とする、請求項１〜３のいずれか１項に記載の貼付剤。
【請求項５】
包装袋に個別包装されてなる、請求項１〜４のいずれか１項に記載の貼付剤。
【考案の詳細な説明】
【技術分野】
【０００１】
本考案は、包装袋内に封入された貼付剤の取り出し性が簡便で、また貼付時の操作性にも優れる貼付剤に関する。
【背景技術】
【０００２】
貼付剤は通常、支持体および支持体の片面に積層された粘着剤層からなる貼付剤本体と、粘着剤層全面を被覆した剥離可能な剥離ライナーとから構成される。また、粘着剤層には経皮吸収性の薬物が含有されている場合があり、これら貼付剤は製品として通常、包装袋に封入された状態で市場に出され保管されている。
【０００３】
しかし、用いる粘着剤の種類や粘着剤に添加する液状成分等の添加量によっては、粘着剤の凝集力が不十分になる場合がある。また、薬物の血中濃度保持を目的とし、薬物の含有量を増やすために、粘着剤層を厚くする場合がある。これらの場合に、貼付剤端部から粘着剤層の一部が流出する「糊はみだし」が生じることがある。糊はみだしが生じると、貼付剤が包装袋内面に付着して、包装袋からの取り出しが困難となる。また、薬物を含有している場合には、薬物流出による薬効低下を引き起こす可能性がある。さらに、皮膚面へ貼付する際、はみだした糊が手指に接触することによる粘着面の汚染、接着力の低下、非衛生的である等の貼付操作性に関わる問題が生じ得る。
【０００４】
これまでに糊はみだしを抑制する種々の取り組みがなされてきた。例えば、粘着剤を架橋処理する方法（特許文献１）、架橋反応可能な官能基を持たない粘着剤には擬似架橋を導入する等の粘着剤を硬化する方法（特許文献２）などが挙げられる。しかし、粘着剤層を架橋する方法は、粘着剤が硬くなることで粘着力が低下し、操作性を損なう可能性があり、また薬物の安定性の観点から架橋剤を使用できない場合もある。
【０００５】
他の方法としては剥離ライナーが粘着剤層の全ての縁部より外に延びる延出部を有し、糊はみだしが生じても包装袋や手指との接触を軽減する方法が挙げられ、その発展系として剥離ライナーの延出部の要部にエンボス加工を施した貼付剤が提案されている（特許文献３）。しかし、エンボス加工により包装袋内での体積が増し、酸素濃度が高くなることで薬物の安定性に影響が出る場合がある。さらには、エンボス加工による歩留まりの低下や工程の増加等、時間とコストの面で好ましくない。
【０００６】
また、貼付操作性を損なわないようにするために、支持体の粘着剤層を有する面の反対面にバッキングフィルムを設ける技術が提案されている（特許文献４）。この方法により剛性が付与されるため操作性は向上するとしても、端面において、バッキングフィルム、支持体、粘着剤層および剥離ライナーが面一にあるため、糊はみだしに対する有効な対策とはいえない。
そこで、貼付時の優れた操作性を保持し、かつ、包装袋からの取り出し性が良好な貼付剤が求められている。
【先行技術文献】
【特許文献】
【０００７】
【特許文献１】特許２７００８３５号公報
【特許文献２】特開２００４−２１７８６０号公報
【特許文献３】実公平４−５１７８２号公報
【特許文献４】特開平７−１６２５８号公報
【考案の概要】
【考案が解決しようとする課題】
【０００８】
本考案は、このような事情に鑑みてなされたものであり、解決しようとする課題は、粘着剤の種類、構成および厚みに依存することなく、糊はみだしが生じた場合であっても包装袋からの良好な取り出し性を確保することができ、かつ適度な支持性を有することで貼付操作性が良好な、薬物を含有する貼付剤を提供することにある。
【課題を解決するための手段】
【０００９】
本考案者らは鋭意検討した結果、貼付剤が、片面に粘着剤層が形成された支持体と、前記粘着剤層全面を被覆し、前記粘着剤層の全ての縁部より外に延びる延出部を有する剥離ライナーと、前記支持体上に積層され前記支持体の全ての縁部より外に延びる延出部を有する剥離可能なバッキングフィルムとを有することで、意外にも、バッキングフィルムの延出部が把持部となって貼付時の操作性向上に寄与すると共に、支持体側への糊はみだしを抑制することができ、包装袋からの取り出し性に優れる貼付剤を完成するに至った。すなわち、本考案は以下に示される内容を包含する。
【００１０】
［１］片面に粘着剤層が形成された支持体と、前記粘着剤層全面を被覆し、前記粘着剤層の全ての縁部より外に延びる延出部を有する剥離ライナーと、
前記支持体上に積層され、前記支持体の全ての縁部より外に延びる延出部を有する剥離可能なバッキングフィルムと、を有する貼付剤。
［２］前記剥離ライナーに、前記粘着剤層から前記剥離ライナーを剥離するためのスリットが設けられていることを特徴とする、上記［１］記載の貼付剤。
［３］前記バッキングフィルムの延出部が支持体縁部より２ｍｍ以上長く、かつ剥離ライナー延出部以下の長さであることを特徴とする、上記［１］または［２］に記載の貼付剤。
［４］粘着剤層にさらに薬物を含有することを特徴とする、上記［１］〜［３］のいずれかに記載の貼付剤。
［５］包装袋に個別包装されてなる、上記［１］〜［４］のいずれかに記載の貼付剤。
【考案の効果】
【００１１】
本考案の貼付剤は、包装袋内に封入された貼付剤の取り出し性が簡便で、また貼付時の操作性にも優れ、さらには粘着剤層中に薬物を含有した場合、包装袋内での薬物の流出を防止できる。
【図面の簡単な説明】
【００１２】
【図１】本考案に係る一実施形態の貼付剤の平面模式図および側面模式図である。
【図２】図１の貼付剤の側面拡大図である。
【図３】本考案に係る他の実施形態の貼付剤の平面模式図および側面模式図である。
【図４】本考案に係る一実施形態の貼付剤の製造工程を示す模式図である。
【考案を実施するための形態】
【００１３】
以下、本考案について図面を引用しつつ説明する。なお、図中の各要素を明示するため要素間の寸法比率は実際とは異なっている。
【００１４】
図１〜図３は、本考案に係る貼付剤１の実施形態についての平面模式図および側面模式図である。本考案の貼付剤１は、支持体３の一方の面に形成された粘着剤層４と、粘着剤層４を覆う剥離ライナー５を有し、支持体３の他方の面にバッキングフィルム２を有する。本考案の貼付剤１の特徴は、支持体３の全周で、バッキングフィルム２および剥離ライナー５が支持体３の端部から延出していることである。すなわち、バッキングフィルム２は、支持体３の端部から突出する延出部２Ａを有しており、同時に、剥離ライナー５も支持体３の端部から突出する延出部５Ａを有している。
この構成にすることにより、貼付剤１は、支持体側への糊はみだしを抑制することができると共に、貼付後にはバッキングフィルム２の延出部が把持部となるため操作性が向上する。
【００１５】
剥離ライナー５はスリット（背切りともいわれる）６を有することが好ましい。スリット６は、剥離ライナー５の略中央部を貫通するものであることが好ましい。スリット６は、図１に例示するように直線であっても図３に例示するように曲線であってもよく、さらに波状、鋸歯状、ギザギザ状であっても良く、一本に限らず、複数本設けてもよい。スリット６は、剥離ライナー５の把持部としての機能も有しており、剥離ライナー５の剥離を容易にする。
【００１６】
また図２に示すように、本考案の貼付剤１は、バッキングフィルム２の延出部２Ａが支持体３の縁部より好ましくは２ｍｍ以上長く、かつ剥離ライナー５の延出部５Ａ以下の長さであることが好ましい。バッキングフィルム２の延出部２Ａが支持体３の縁部から突出していることにより、バッキングフィルム２の延出部２Ａが把持部となって貼付剤１の操作性がより向上すると共に、支持体３側への糊はみだしをより効果的に抑制することができる。
【００１７】
図２において、支持体３の寸法Ｌ１に対して、バッキングフィルム２の寸法Ｌ２は両端に各２ｍｍ以上大きいことが好ましく、剥離ライナー５の寸法Ｌ３以下であることが好ましい。つまり、バッキングフィルム２の寸法Ｌ２は下記の（Ｉ）式の範囲であることが好ましい。
Ｌ３≧Ｌ２≧（Ｌ１＋４ｍｍ）    （Ｉ）
【００１８】
（貼付剤の形状）
貼付剤の形状および大きさは特に限定されない。
支持体３の形状は、円形、楕円形、正方形および長方形などの矩形および略矩形、長尺状、略多角形などを採用することができる。また、矩形状の角部を丸くカットしてもよい。
支持体３の寸法は特に限定されるものではなく、例えば、直径５〜２００ｍｍの円形や、一辺５〜２００ｍｍの正方形でもよいし、３０ｍｍ×２０ｍｍなどの長方形でもよく、さらに大きなサイズでもよい。また、（Ｉ）式に示すように、バッキングフィルム２の寸法は、支持体３の寸法に対して両端で各２ｍｍ以上大きいことが好ましく、かつ、剥離ライナー５の寸法以下であることが好ましい。また、剥離ライナー５の寸法についても特に限定されるわけではないが、支持体３の寸法に対してあまり大きくする必要は無いため、支持体３の両端で各２ｍｍ以上、１０ｍｍ以下の幅で延出していることが好ましく、２ｍｍ以上、５ｍｍ以下がより好ましい。支持体端部からの延出部をこの範囲にすることにより、剥離ライナー５の掴みしろが確保できて剥離しやすくなるとともに、貼付剤および包装袋の寸法が大きくなりすぎることがない。
具体的には、例えば、支持体３が３０ｍｍ×２０ｍｍの略矩形の場合、バッキングフィルム２の寸法は、支持体３の外周より２ｍｍ以上ずつ大きいことが好ましいから、３４ｍｍ×２４ｍｍ以上であって、かつ、剥離ライナー５の寸法以下であることが好ましい。したがって、例えば、剥離ライナー５の寸法が、支持体３の寸法に対して、両端に各５ｍｍ延出する寸法（４０ｍｍ×３０ｍｍ）であるとすると、バッキングフィルム２の寸法は、３４ｍｍ×２４ｍｍ以上、かつ、４０ｍｍ×３０ｍｍ以下であることが好ましい。
なお、上記の例では、支持体３に対してバッキングフィルム２が、両端に同一の寸法で延出している例を説明したが、支持体３に対して、一方の端部から２ｍｍ延出し、他方の端部から例えば３ｍｍ延出するような形状であっても良い。同様に、剥離ライナー５についても、支持体３の両端における延出寸法が異なっていても良い。
【００１９】
（粘着剤層）
本考案で用いられる粘着剤層は、必要に応じて薬物、有機液状成分、粘着付与剤などの成分とともに、粘着剤を溶媒の存在下、配合、混合することにより組成物を得、これを塗布などの方法により層状にし、乾燥することにより形成することができる。
【００２０】
粘着剤層を構成する粘着剤としては、特に限定されないが、皮膚接着性等の点からアクリル系、合成ゴム系、天然ゴム系、シリコーン系の粘着剤が挙げられる。品質の安定性や調製の容易さ、薬物の放出性、皮膚に与える低刺激性からアクリル系粘着剤が好ましい。また、柔らかく、かつ厚みのある粘着剤層を用いた貼付剤に対して本考案が特に効果的に機能することから、ゴム系の粘着剤が好ましい。
【００２１】
アクリル系粘着剤は、アクリル系重合体からなるものであり、当該アクリル系重合体としては、（メタ）アクリル酸アルキルエステルの単独重合体、あるいはこれらの共重合体が挙げられる。ゴム系粘着剤としては、例えば、ポリイソブチレン・ポリブテン系、スチレン・ジエン・スチレンブロック共重合体、スチレン・ブタジエン系、ニトリル系、クロロプレン系、ビニルピリジン系、ポリイソブチレン系、ブチル系、イソプレン・イソブチレン系等からなるゴム系粘着剤が挙げられる。
【００２２】
アクリル系粘着剤の配合割合は、好ましくは１０〜９５重量％、より好ましくは２０〜９０重量％の割合で配合することができる。１０重量％未満であると粘着剤の凝集力が不足し、皮膚接着性が不十分になる傾向を示し、９５重量％を超えると、薬物や他の任意成分の配合量が有効量にならない場合がある。
【００２３】
ゴム系粘着剤は、適度な粘着力および薬物溶解性を得るために、同一成分または異なる成分で平均分子量の異なるものを混合して使用することができる。例えば、ポリイソブチレンを例に挙げて説明すると、粘度平均分子量１，８００，０００〜５，５００，０００の高分子量のポリイソブチレン、粘度平均分子量４０，０００〜８５，０００の中分子量のポリイソブチレン、および必要によりさらに低分子量のポリイソブチレンとの混合物が好ましい。なお本考案における粘度平均分子量は、シュタウディンガーインデックス（Ｊ０）を、２０℃にてウベローデ粘度計のキャピラリー１のフロータイムからSchulz-Blaschke式により算出し、このＪ０値を用いて下式により求めるものである。
【００２４】
【数１】
0003158519.tif 000003
【００２５】
ここで、高分子量のポリイソブチレンを１０〜８０重量％、好ましくは１０〜５０重量％、中分子量のポリイソブチレンを０〜９０重量％、好ましくは１０〜８０重量％、低分子量のポリイソブチレンを０〜８０重量％、好ましくは０〜６０重量％の割合で配合することが好適である。
【００２６】
粘着剤層の厚みは、粘着力を確保し、糊はみだしを抑制する観点から１００〜２００μｍが好ましい。
【００２７】
粘着剤層は、架橋処理を施した架橋粘着剤層であってもよく、架橋処理を施していない非架橋粘着剤層であってもよい。ここで架橋処理とは、貼付製剤の皮膚接着力を十分に維持すること、および貼付製剤を皮膚表面から剥がす際の皮膚を引っ張り、皮膚の角質層を物理的に剥ぎ取るといった皮膚刺激を低く抑えることを両立させるために、粘着剤層に施される公知の処理をいう。架橋処理としては、化学架橋処理、イオン架橋処理、電子線や紫外線などによる物理架橋処理が挙げられる。架橋剤としては、酢酸亜鉛などの金属塩、エポキシ化合物、アミド化合物、アミン化合物、酸無水物、過酸化物、イソシアネート化合物等が例示される。
【００２８】
溶媒としては有機溶剤が好ましく、特に限定されないが、粘着剤層を構成する前記各成分との相溶性を有し、乾燥工程において容易に揮発させることができるものが好ましい。かかる有機溶剤としては、トルエン、キシレンなどの芳香族炭化水素類、ヘキサンなどの脂肪族炭化水素類、酢酸エチルなどのエステル類、エタノールなどのアルコール類、ジエチルエーテル、テトラヒドロフランなどのエーテル類などが挙げられ、これらは単独でまたは二種以上組み合わせて用いてもよい。
【００２９】
前記乾燥は、風乾により行ってもよく、乾燥装置、熱風、遠赤外線などを用いる公知の方法により行ってもよい。
【００３０】
前記各成分の混合方法としては、制限されないが、ニーダー、プラネタリーミキサーなどの混練機、ホモジナイザーなどの分散機、プロペラ型翼攪拌機などの攪拌機などが挙げられ、これらは単独で使用することも２種以上を組み合わせて使用することもできる。
【００３１】
本考案の貼付剤は、粘着剤層が治療目的に応じ任意に薬物を含むことできる。ここにいう薬物は特に限定されず、ヒトなどの哺乳動物にその皮膚を通して投与し得る、すなわち経皮吸収可能な薬物が好ましい。そのような薬物としては、具体的には、例えば、全身性麻酔薬、催眠・鎮静薬、抗癲癇薬、解熱鎮痛消炎薬、鎮暈薬、精神神経用薬、局所麻酔薬、骨格筋弛緩薬、自律神経用薬、鎮痙薬、抗パーキンソン薬、抗ヒスタミン薬、強心薬、不整脈用薬、狭心症治療薬、利尿薬、血圧降下薬、血管収縮薬、冠血管拡張薬、末梢血管拡張薬、動脈硬化用薬、循環器用薬、呼吸促進薬、気管支拡張薬、鎮咳去痰薬、ホルモン薬、化膿性疾患用外用薬、鎮痛・鎮痒・収斂・消炎用薬、寄生性皮膚疾患用薬、止血用薬、痛風治療用薬、糖尿病用薬、抗悪性腫瘍用薬、抗生物質、化学療法薬、麻薬、禁煙補助薬などが挙げられる。
【００３２】
薬物の粘着剤層における割合は、その経皮吸収用薬物の効果を満たし、粘着剤の粘着特性を損なわない範囲であれば特に限定されないが、粘着剤層の全重量（但し、該粘着剤層が架橋剤を含む場合は架橋剤の重量を除く。）に基づき、好ましくは０．１〜６０重量％、より好ましくは０．５〜４０重量％含有されることが好ましい。０．１重量％より少ないと治療効果が十分でない恐れがあり、６０重量％より多いと皮膚刺激発生の可能性がありまた経済的にも不利である恐れがある。
【００３３】
所望により、粘着剤層は有機液状成分を含むことができる。有機液状成分としては、特に限定されず、エチレングリコール、ジエチレングリコール、プロピレングリコール、ジプロピレングリコール、トリプロピレングリコール、トリエチレングリコール、ポリエチレングリコール、ポリプロピレングリコール等のグリコール類；オリーブ油、ヒマシ油、ラノリン等の油脂類；スクアラン、流動パラフィンのような炭化水素類；各種界面活性剤；エトキシ化ステアリルアルコール；オレイン酸モノグリセリド、カプリル酸モノグリセリド、ラウリル酸モノグリセリドのようなグリセリンモノエステル；ポリプロピレングリコールといったポリアルキレングリコールのジアルキルエステル；グリセリンジアセテートなどのグリセリンジエステル、グリセリントリアセテートなどのグリセリントリエステル、またはそれらの混合物；クエン酸トリエチルなどの脂肪酸アルキルエステル；長鎖アルコール；オレイン酸、カプリル酸のような高級脂肪酸；ミリスチン酸イソプロピル、パルミチン酸イソプロピルのような高級脂肪酸のアルキルエステル；Ｎ−メチルピロリドン、Ｎ−ドデシルピロリドンのようなピロリドン類；デシルメチルスルホキシドのようなスルホキシド類；１，３−ブタンジオール等が挙げられ、これらは１種でまたは２種以上を混合して使用することができる。
【００３４】
粘着剤層には、適度な粘着性を付与するために、例えば、ロジン系樹脂、ポリテルペン樹脂、クマロン−インデン樹脂、石油系樹脂、テルペン−フェノール樹脂、キシレン樹脂等の粘着付与剤が配合されていてもよく、これらは一種でまたは２種以上を混合して用いられる。前記石油系樹脂としては、脂肪族系（Ｃ５系）石油樹脂、芳香族系（Ｃ９系）石油樹脂、共重合体系（Ｃ５−Ｃ９系）石油樹脂、および芳香族系（Ｃ９系）石油樹脂を部分水素添加または完全水素添加することによって得られる脂環族飽和炭化水素樹脂が例示される。脂環族飽和炭化水素樹脂としては、軟化点（環球法）９０〜１５０℃のものが好ましい。粘着付与剤の配合量としては、限定されないが、適度な粘着性を付与し、配合量の増大に伴う粘着付与剤の効果を飽和させない観点から１０〜４０重量％が例示される。
【００３５】
（支持体）
支持体としては、皮膚に順応し得るものであれば特に限定されないが、実質的に薬物等不透過性であるもの、即ち粘着剤層の活性成分や添加剤等が支持体中を通って背面から失われて含有量の低下を引き起こさないものが好ましい。
【００３６】
具体的には紙、織布、不織布、編布、機械的に穿孔処理を施したフィルム・金属箔およびこれらの積層体等が挙げられる。これらのうち取扱い性等の観点からは、特に紙、織布、不織布およびこれらの積層体が好ましく、とりわけ不織布の積層体が好ましい。
【００３７】
材質としては、例えば、ポリエステル、ナイロン、サラン（旭化成ケミカルズ（株）、米国ダウケミカル社の登録商標）、ポリエチレン、ポリプロピレン、ポリ塩化ビニル、エチレン−アクリル酸エチル共重合体、ポリテトラフルオロエチレン、サーリン（米国デュポン社の登録商標）またはこれらの組み合わせ等が挙げられる。粘着剤との投錨性を確保する観点から、ポリエチレンテレフタレート（以下、ＰＥＴと略することがある）とＰＥＴの不織布との積層体が好ましい。
【００３８】
支持体の厚さは、特に限定されないが皮膚への追従性および貼付後の剥れ防止の観点から２０〜４０μｍの範囲が好ましい。
【００３９】
（剥離ライナー）
粘着剤層上に設けられる剥離ライナーの材質は、特に限定されないが、自体公知のものが挙げられる。具体的にはＰＥＴをはじめとするポリエステル、ポリエチレン、ポリプロピレン、ポリ塩化ビニル、ポリ塩化ビニリデン、各種アクリル系及びメタクリル系ポリマー、ポリスチレン、ポリカーボネート、ポリイミド、酢酸セルロース、再生セルロース（セロファン）、セルロイド等のプラスチックフィルム、あるいは上質紙またはグラシン紙等とポリオレフィンとのラミネートフィルム等が例示される。これらの表面にシリコーン樹脂処理やフッ素樹脂処理等を施すことにより、剥離ライナーを得ることができる。安全性、経済性、薬物移行性の点でシリコーン樹脂処理したものを用いることが好ましい。
【００４０】
剥離ライナーの厚みとしては、これまで開発された薬物を含有する貼付剤の実績から通常１０〜２００μｍであり、好ましくは５０〜１００μｍである。
【００４１】
（バッキングフィルム）
剥離可能なバッキングフィルムの材質としては、プラスチックフィルムおよび紙が挙げられる。また、これらの表面にポリエステル、ポリオレフィン等の樹脂処理を施し、剥離可能なバッキングフィルムを得ることができる。好ましくは、紙の表面にポリエステル等の樹脂処理を施したものである。
【００４２】
バッキングフィルムの厚みは、剛性を得る観点から好ましくは２０〜１００μｍである。
【００４３】
上述したように、バッキングフィルムの延出部は支持体縁部より２ｍｍ以上長く、かつ剥離ライナー延出部以下の長さであることが好ましい。該延出部により、掴みしろが確保されるため、バッキングフィルムが剥離しやすくなる。
【００４４】
（実施の形態）
本考案にかかる一実施形態の貼付剤の製造工程について、図４を引用しつつ説明する。
【００４５】
（Ｓ０１）長尺状の剥離ライナー１１の片面に粘着剤を塗布して粘着剤層１０を形成する。
（Ｓ０２）長尺状の支持体１２とバッキングフィルム１３とがあらかじめ貼り合わされている積層体の支持体１２面を、剥離ライナー１１上に形成された粘着剤層１０に貼り合わせる。なお、支持体１２とバッキングフィルム１３を貼り合わせるには、インフレーション成型、押出ラミネート成型、積層成型、キャスティング等、公知の方法を用いることができる。
（Ｓ０３）バッキングフィルム１３、支持体１２、粘着剤層１０および剥離ライナー１１の４層からなる長尺状積層体の幅方向の両端部をハーフカットして支持体１２、粘着剤層１０および剥離ライナー１１の３層にスリット１４を設ける。バッキングフィルム１３のみを残すように、スリット１４から外側の支持体１２、粘着剤層１０および剥離ライナー１１を除去する。
（Ｓ０４）剥離ライナー１１を剥離する。
（Ｓ０５）バッキングフィルム１３、支持体１２および粘着剤層１０のどれよりも幅広の第二の剥離ライナー１５を、粘着剤層１０上に、再度貼り合わせる。
（Ｓ０６）剥離ライナー１５中央部にスリット１６を設ける。
長尺状のバッキングフィルム１３が所定の幅になるよう、バッキングフィルム１３の幅方向の両端部を刃によりカットし（Ｓ０７）、カットされた両端部のバッキングフィルム１３を除去する（Ｓ０８）。
（Ｓ０９）第二の剥離ライナー１５を打ち抜く（貼付剤全抜き）。打ち抜き手段としては特に限定されず、レーザー、押し切り刃などが挙げられる。切断寸法の調整および位置合わせが容易であり、きれいな端面が得られることから、好ましくは押し切り刃ダイセット（オス型およびメス型）で打ち抜く。
【００４６】
本考案にかかる貼付剤は、包装袋に個別包装されてもよい。
【産業上の利用可能性】
【００４７】
本考案は、包装袋内に封入された貼付剤の取り出し性が簡便で、また貼付時の操作性にも優れ、さらには粘着剤層中に薬物を含有した場合、包装袋内での薬物の流出を防止できる貼付剤として好適に使用することができる。
【符号の説明】
【００４８】
１    貼付剤
２    バッキングフィルム
２Ａ  バッキングフィルムの延出部
３    支持体
４    粘着剤層
５    剥離ライナー
５Ａ  剥離ライナーの延出部
６    スリット
１０  粘着剤層
１１  剥離ライナー
１２  支持体
１３  バッキングフィルム
１４  スリット
１５  第二の剥離ライナー
１６  スリット
【図１】
0003158519.tif 000004
【図２】
0003158519.tif 000005
【図３】
0003158519.tif 000006
【図４】
0003158519.tif 000007